(57)【要約】      （修正有）【課題】軟質ポット等で育てられた育苗をそれよりも大きな鉢植えへの植え替える際の土詰めのときに、植え替え前の土ごと大きな鉢植えへの植え替えが良好にできるような土詰めが行える鉢植えの植え替え用土詰め装置を提供する。【解決手段】板状蓋２の下面に穴形成壁４を備える。穴形成壁４の内側が窓部２ａの内側輪郭寸法より小さく、土１２が穴形成壁４の内側に入り込まない。これにより、詰め替え用植木鉢１１に土詰めを行ったときに、その土１２に育苗を土ごと植え替えできる穴１２ａを形成することが可能となる。【選択図】図５
0003154546.tif 000002
【実用新案登録請求の範囲】
【請求項１】
所定の配列で配置される複数の詰め替え用植木鉢（１１）の配列に対応して、複数の前記詰め替え用植木鉢（１１）それぞれと対応する各所に形成され、前記詰め替え用植木鉢（１１）の内側輪郭寸法以下の外側輪郭寸法を有すると共に、所定の内側輪郭寸法を有する窓部（２ａ）を備えた板状蓋（２）と、
前記板状蓋（２）の下面固定され、該下面から下方に向かって延設されていると共に、前記板状蓋（２）の上方から見て該板状蓋（２）によって覆われており、前記窓部（２ａ）の内側輪郭寸法よりも小さく、かつ、植え替え前の育苗を土ごと挿入するための穴（１２ａ）を前記詰め替え用植木鉢（１１）に詰め込んだ土（１２）に対して形成するための穴形成壁（４）と、が備えられていることを特徴とする鉢植えの植え替え用土詰め装置。
【請求項２】
前記穴形成壁（４）は、多角錐台形状とされて、該多角錐台における下面側が前記板状蓋（２）に固定されていることを特徴とする請求項１に記載の鉢植えの植え替え用土詰め装置。
【請求項３】
前記穴形成壁（４）は、一枚の鋼鈑を折り曲げ加工することによって構成されていることを特徴とする請求項２に記載の鉢植えの植え替え用土詰め装置。
【請求項４】
前記板状蓋（２）の外縁部には、前記穴形成壁（４）と反対側に向けて延設された土の脱落防止用の側壁面（３）が備えられていることを特徴とする請求項１ないし３のいずれか１つに記載の鉢植えの植え替え用土詰め装置。
【考案の詳細な説明】
【技術分野】
【０００１】
本考案は、鉢植えの植え替えを行う際の土詰めに用いられる鉢植えの植え替え用土詰め装置に関するものである。
【背景技術】
【０００２】
従来より、鉢植えの土詰めを行う際に、軟質ポットに同時に土詰めが行えるようにするために、格子状の配置スペースに仕切られたトレー上に土詰め前の軟質ポットを等間隔に配置したのち、その上に、各軟質ポットの上面開口と対応する窓部が形成された板状蓋を配置し、その板状蓋上から土を詰め込むことで、不要箇所への土の脱落を防ぎ、確実に軟質ポットにのみ土が供給されるようにする装置がある（特許文献１参照）。この装置では、板状蓋のうち各軟質ポットの中央部と対応する場所にビスを配置しており、土詰めと同時に、播種用もしくは子苗えを定着させるための凹みが形成されるようにしている。
【先行技術文献】
【特許文献】
【０００３】
【特許文献１】特開平１０−２０１３７７号公報
【考案の概要】
【考案が解決しようとする課題】
【０００４】
しかしながら、上記特許文献１では、軟質ポットに新しく土詰めを行うような場合を想定したものであり、軟質ポット等で育てられた育苗をそれよりも大きな鉢植えへ植え替える際の土詰めのときに、植え替え前の土ごと大きな鉢植えへの植え替えが良好にできるような土詰めが行えるものではない。特に、上記特許文献１では、土詰めと同時に播種用もしくは子苗えを定着させるための凹みという小さな凹みを形成しているが、植え替えを行うようなものを想定しているものではなかった。
【０００５】
本考案は上記点に鑑みて、軟質ポット等で育てられた育苗をそれよりも大きな鉢植えへ植え替える際の土詰めのときに、植え替え前の土ごと大きな鉢植えへの植え替えが良好にできるような土詰めが行える鉢植えの植え替え用土詰め装置を提供することを目的とする。
【課題を解決するための手段】
【０００６】
上記目的を達成するため、請求項１に記載の考案では、所定の配列で配置される複数の詰め替え用植木鉢（１１）の配列に対応して、複数の詰め替え用植木鉢（１１）それぞれと対応する各所に形成され、詰め替え用植木鉢（１１）の内側輪郭寸法以下の外側輪郭寸法を有すると共に、所定の内側輪郭寸法を有する窓部（２ａ）を備えた板状蓋（２）と、板状蓋（２）の下面固定され、該下面から下方に向かって延設されていると共に、板状蓋（２）の上方から見て該板状蓋（２）によって覆われており、窓部（２ａ）の内側輪郭寸法よりも小さく、かつ、植え替え前の育苗を土ごと挿入するための穴（１２ａ）を詰め替え用植木鉢（１１）に詰め込んだ土（１２）に対して形成するための穴形成壁（４）と、が備えられていることを特徴としている。
【０００７】
このように、板状蓋（２）の下面に穴形成壁（４）を備えるようにすることで、詰め替え用植木鉢（１１）に土詰めを行ったときに、その土（１２）に育苗を土ごと植え替えできる穴（１２ａ）を形成することが可能となる。したがって、植え替え前の軟質ポットもしくは植木鉢から取り出した土付きの育苗を土ごとその穴（１２ａ）に挿入することで、容易かつ良好に植え替えを行うことが可能となる。
【０００８】
例えば、請求項２に記載したように、穴形成壁（４）を多角錐台形状とし、該多角錐台における下面側が板状蓋（２）に固定した構造とすることができる。この場合、請求項３に記載したように、穴形成壁（４）を一枚の鋼鈑の折り曲げ加工により、容易に構成することができる。
【０００９】
請求項４に記載の考案では、板状蓋（２）の外縁部には、穴形成壁（４）と反対側に向けて延設された土の脱落防止用の側壁面（３）が備えられていることを特徴としている。
【００１０】
このように、側壁面（３）を備えるようにすれば、手詰めで土詰めを行う場合には、土が板状蓋（２）の側方から脱落してしまうことがあるが、これを防止することが可能となり、より作業の効率化を図ることが可能となる。
【００１１】
なお、上記各手段の括弧内の符号は、後述する実施形態に記載の具体的手段との対応関係を示すものである。
【図面の簡単な説明】
【００１２】
【図１】本考案の第１実施形態にかかる鉢植えの植え替え用土詰め装置１の斜視図である。
【図２】図１に示す鉢植えの植え替え用土詰め装置１の上面図である。
【図３】図１に示す鉢植えの植え替え用土詰め装置１の側面図である。
【図４】穴形成壁４を示した図であり、（ａ）は上面図、（ｂ）は（ａ）のＡ−Ａ断面図である。
【図５】鉢植えの植え替え用土詰め装置１を利用した土詰めの様子を示した斜視図である。
【考案を実施するための形態】
【００１３】
以下、本考案の実施形態について図に基づいて説明する。なお、以下の各実施形態相互において、互いに同一もしくは均等である部分には、図中、同一符号を付してある。
【００１４】
（第１実施形態）
本考案の第１実施形態について説明する。図１〜図３は、本考案の一実施形態が適用された鉢植えの植え替え用土詰め装置１を示した図であり、図１が斜視図、図２が上面図、図３が側面図である。
【００１５】
図１〜図３に示されるように、鉢植えの植え替え用土詰め装置１は、例えば溶融亜鉛メッキ鋼鈑（ＳＧＣＣ）にて構成されており、板状蓋２と側壁面３および穴形成壁４とを有した構成とされている。
【００１６】
板状蓋２は、後述するように格子状の配置スペースに仕切られたトレー上に配置された複数の土詰め前の植え替え用植木鉢の上に配置されるものである。この板状蓋２は、例えば上面形状が長方形状とされており、図２の縦方向寸法が例えば約３５．８ｃｍ、横方向寸法が例えば約５２．８ｃｍとされている。
【００１７】
また、板状蓋２には、格子状に配置された各植え替え用植木鉢と対応する各所（例えば本実施形態の場合には図２の紙面縦方向に３列と横方向に４列の合計１２箇所）に土詰め用の窓部２ａが形成されている。窓部２ａは、植え替え用植木鉢の開口上面のうち中央部を避けるように環状に複数個並べて配置されている。例えば、本実施形態では、窓部２ａが植え替え用植木鉢の中心から見て１２０°間隔で３つに分割されたものとしている。この窓部２ａの寸法は、植え替え用植木鉢や植え替え時の育苗が植えられている土の寸法、つまり植え替え前の軟質ポットもしくは植木鉢の寸法に基づいて設定されている。
【００１８】
具体的には、窓部２ａの外周寸法、つまり植木鉢の中心と対応する位置からの径方向における最大距離は、植え替え用植木鉢の開口上面の内径寸法以下とされている。また、窓部２ａの内周寸法、つまり植木鉢の中心と対応する位置からの径方向における最小距離は、植え替え時の育苗が植えられている土の外径寸法以上（植え替え前の軟質ポットもしくは植木鉢の内径寸法以上）とされている。
【００１９】
側壁面３は、長方形状とされた板状蓋２の外縁部の四辺のうちの三辺に関しては上方に向けられて延設されており、残る一辺に関しては下方に向けられて延設されている。例えば、各側壁面３は、約２．５ｃｍの高さとされている。これら側壁面３は、板状蓋２と共に一枚の鋼鈑を切り抜いて形成したのち、折り曲げ加工することによって形成され、板状蓋２の補強部材としての役割を果たすと共に、上方に向けられた三辺に関しては土の脱落防止の役割も果たす。
【００２０】
穴形成壁４は、板状蓋２の下方に、例えばかしめによって固定されている。図４は、この穴形成壁４のみを示したものであり、図４（ａ）は上面図、図４（ｂ）は図４（ａ）のＡ−Ａ断面図である。
【００２１】
この図および図２等に示されるように、本実施形態では、穴形成壁４は、六角錐台形状とされており、面積が大きい側となる下面側が板状蓋２に固定され、上面側が板状蓋２と反対側に向けられているため、穴形成壁４は、板状蓋２側から先細りとなる。穴形成壁４のうち植木鉢の中心と対応する位置からの径方向寸法は、窓部２ａの内周寸法よりも小さくされている。具体的には、穴形成壁４の下面において、対向する二辺間の距離が約５．８ｃｍとされている。このため、穴形成壁４の内側が窓部２ａよりも内側に隠れ、窓部２ａから露出しない構造とされている。
【００２２】
また、穴形成壁４のうちの下面側には、かしめ用壁面４ａが３箇所形成されている。このかしめ用壁面４ａにて、穴形成壁４が板状蓋２の下面にかしめ固定されている。
【００２３】
なお、穴形成壁４は、成形などによって形成することもできるが、一枚の板状部材を切り抜き、折り曲げ加工することにより製造することもできる。このような曲げ加工によって穴形成壁４を形成する場合、多角形状であると曲げ加工を容易に行うことができる。このため、本実施形態のように穴形成壁４を六角錐台とすることにより、穴形成壁４を容易に製造することが可能となる。
【００２４】
以上のようにして、本実施形態にかかる鉢植えの植え替え用土詰め装置１が構成されている。続いて、このように構成された鉢植えの植え替え用土詰め装置１の使用方法について、図５に示す土詰めの様子を示した斜視図を参照して説明する。
【００２５】
まず、図５（ａ）に示すように、格子状の配置スペースに仕切られたトレー１０上に土詰め前の植え替え用植木鉢１１を等間隔に配置したのち、その上に、上述した植え替え用土詰め装置１を設置する。このとき、各植え替え用植木鉢１１の開口上面と鉢植えの植え替え用土詰め装置１における板状蓋２の各窓部２ａとを一致させる。
【００２６】
そして、図５（ｂ）に示すように、板状蓋２の上に土１２を載せ、窓部２ａ内から土１２を詰め込んでいく。これにより、窓部２ａを通過した土１２が植え替え用植木鉢１１に詰め込まれる。このとき、側壁面３により、土１２の脱落が防止される。そして、板状蓋２の下面から穴形成壁４が突出するように形成されているため、この穴形成壁４によって土１２が堰き止められ、それよりも内側には土１２が詰め込まれないようにされる。このため、詰め込み後には、図５（ｃ）に示されるように、詰め込まれた土１２の中央部において穴形成壁４と同じ形状の穴１２ａが形成された状態となる。
【００２７】
したがって、この穴１２ａ内に、植え替え前の軟質ポットもしくは植木鉢から取り出した土付きの育苗を土ごと挿入し、その後、周囲の土１２をならすことで、植え替えが完了する。
【００２８】
このように、板状蓋２の下面に穴形成壁４を備えるようにすることで、詰め替え用植木鉢１１に土詰めを行ったときに、その土１２に育苗を土ごと植え替えできる穴１２ａを形成することが可能となる。したがって、植え替え前の軟質ポットもしくは植木鉢から取り出した土付きの育苗を土ごとその穴１２ａに挿入することで、容易かつ良好に植え替えを行うことが可能となる。
【００２９】
（他の実施形態）
上記実施形態では、板状蓋２に対して側壁面３を備えるようにしているが、必ずしも必要なものではない。すなわち、側壁面３は、鉢植えの植え替え用土詰め装置１を用いて手詰めで土詰めを行う場合には、土が板状蓋２の側方から脱落してしまうため、脱落防止の為に備えられていると作業の効率化の観点から有効である。しかしながら、鉢植えの植え替え用土詰め装置１を図示しないコンベアーを用いる場合、つまりコンベアーに植え替え用植木鉢を載せたトレー上に鉢植えの植え替え用土詰め装置１を配置した状態として搬送しながら土詰めを行う場合もある。このような場合には、コンベアーに側壁面３のように脱落防止の役割を果たす壁面を備えておけば、側壁面３を板状蓋２に備えておかなくても良い。
【００３０】
また、上記実施形態では、窓部２ａが植え替え用植木鉢の中心から見て１２０°間隔で３つに分割されたものとしているが、２つに分割したものであっても、４つ以上に分割されたものであっても構わない。
【００３１】
また、上記実施形態では、穴形成壁４を六角錐台形状とする場合について説明したが、他の多角錐台形状や円錐台形状としても良い。ただし、多角錐台形状とした方が曲げ加工が容易に行えるため、より容易に穴形成壁４を製造することが可能となる。
【００３２】
また、上記実施形態では、各トレー１０に対して格子状に詰め替え用植木鉢１１が配置されるものを例に挙げたため、板状蓋２に対して窓部２ａも格子状に配置されたものを例に挙げて説明した。しかしながら、これも単なる一例であり、トレー１０に対して詰め替え用植木鉢１１が千鳥状に配置されるものであれば、それに対応して板状蓋２に対して窓部２ａも千鳥状に配置されたものとすれば良い。つまり、詰め替え用植木鉢１１の配列に対応して、所定の配列で窓部２ａが形成されていれば良い。
【００３３】
また、上記実施形態では、詰め替え用植木鉢１１の上面形状が円形である場合を前提として説明したため、窓部２ａの外周寸法が詰め替え用植木鉢１１の内径寸法以下となると説明した。しかしながら、詰め替え用植木鉢１１の上面形状は任意であり、例えば、四角形などであっても構わない。その場合、窓部２ａの外側輪郭寸法が詰め替え用植木鉢１１の内側輪郭寸法以下であれば良い。
【００３４】
なお、窓部２ａの内側輪郭寸法に関しては、少なくとも穴形成壁４の内側を露出させて土が入り込んでしまうことが防止される程度の所定の寸法を有していれば良く、仮に、植え替え時の育苗が植えられている土の外側輪郭寸法よりも小さくなっていても構わない。すなわち、土詰めし後に育苗を土ごと植え替える際に、詰められた土を押し広げながら行えば良いため、必ずしも穴部２ａの内側輪郭寸法が植え替え時の育苗が植えられている土の外側輪郭寸法以上でなければならない訳ではない。
【符号の説明】
【００３５】
１      鉢植えの植え替え用土詰め装置
２      板状蓋
２ａ    窓部
３      側壁面
４      穴形成壁
４ａ    かしめ用壁面
１０    トレー
１１    詰め替え用植木鉢
１２    土
１２ａ  穴
【図１】
0003154546.tif 000003
【図２】
0003154546.tif 000004
【図３】
0003154546.tif 000005
【図４】
0003154546.tif 000006
【図５】
0003154546.tif 000007